(57)【要約】【課題】リールの装着が確実で、リール脚の締め付け感が握持した手に伝わる移動フードのリール装着部を設けた釣竿を提供することである。【解決手段】釣竿１に設けたリール装着部３は、リール脚の載置部５ａと固定フード６を有するリール取り付け本体部５を有し、リール取り付け本体部５の前端側には、移動フード７が釣竿１の長手方向に移動可能に取り付けられている。移動フード７は、一端側にリール脚Ｒ１に当接する傾斜面８ａを有する合成樹脂の本体管８を有し、該本体管８の外側の前記傾斜面８ａに対応する位置を覆う金属製のリング部材９を取り付け、前記本体管８の前記リング部材９で覆っていない部分が露出している。【選択図】    図２
2012029609.tif 000002
【特許請求の範囲】
【請求項１】
リール取り付け本体部に移動フードを含む一対のフード設けたリール装着部を有する釣竿であって、前記移動フードは、一端側にリール脚に当接する傾斜面を有する合成樹脂の本体管を有し、該本体管の外側の前記傾斜面に対応する位置を覆うように金属製のリング部材を取り付け、前記本体管の前記リング部材で覆っていない部分が露出するように形成し、前記本体管は前記釣竿の長手方向に移動可能に前記リール取り付け本体部に螺着されていることを特徴とする釣竿。
【請求項２】
本体管は、その外側に前記本体管より硬質な合成樹脂の補強部材を有していることを特徴とする請求項１に記載の釣竿。
【請求項３】
リング部材は、本体管と共に補強部材の一部を覆っていることを特徴とする請求項２に記載の釣竿。
【請求項４】
補強部材は織布状の強化繊維を有する繊維強化樹脂層からなり、本体管よりも薄肉に形成されていることを特徴とする請求項２または３に記載の釣竿。
【請求項５】
本体管は、傾斜面を有する一端側が他端側よりも軟らかい合成樹脂で形成されていることを特徴とする請求項１乃至４の何れか１項に記載の釣竿。
【発明の詳細な説明】
【技術分野】
【０００１】
本発明は、リール装着部を有する釣竿に関する。
【背景技術】
【０００２】
従来から釣竿にはリールシート等のリール装着部が設けられ、それぞれの釣りに応じてリールが装着できるようになっている。
釣竿のリール装着部は、リールを載置して握持する握持部（本体部）とリール脚の両端を保持する一対のフードを有している。
一対のフードのうち一方は固定フード、他方は握持部に載置したリール脚に対し移動可能な移動フードとなっており、移動フードを操作することでリールが着脱できるようになっている。
例えば、特許文献１のリール脚装着装置は、移動フードがリール脚固定本体に螺合され、移動フードの回動操作で握持部の長手方向に移動させてリール脚をフード部とリール脚固定本体で狭持して装着または取り外しができるようになっている。
このリール脚装着装置の移動フードは、外側を金属製のカバー部、内側を合成樹脂製の保持部で構成され、フードの外側を構成する金属製のカバー部を握持してリール脚を締め付けると力が入れやすく、確実にリールが装着できるようになっている。
ところが、移動フードを操作する時に握持する部分が移動フードの外側を覆う金属製のカバー部であると、カバー部が硬いためリールをリールシートに取り付ける時に、リール脚の締め付け感が握持した手に伝わらず、取り付け具合が把握しにくかった。
【特許文献１】特開２００６−３３３７２３号
【発明の概要】
【発明が解決しようとする課題】
【０００３】
解決しようとする問題点は、リール装着部の移動フードが全て硬い金属製のカバー部で覆われているとリールを取り付ける時に、リール脚の締め付け感が握持した手に伝わらず取り付け具合が把握しにくいことである。
【０００４】
本発明の目的は前記欠点に鑑み、リールの装着が確実で、リール脚部の締め付け感が握持した手に伝わる移動フードを有するリール装着部を設けた釣竿を提供することである。
【課題を解決するための手段】
【０００５】
本発明の請求項１は、リール取り付け本体部に移動フードを含む一対のフード設けたリール装着部を有する釣竿であって、前記移動フードは、一端側にリール脚に当接する傾斜面を有する合成樹脂の本体管を有し、該本体管の外側の前記傾斜面に対応する位置を覆うように金属製のリング部材を取り付け、前記本体管の前記リング部材で覆っていない部分が露出するように形成し、前記本体管は前記釣竿の長手方向に移動可能に前記リール取り付け本体部に螺着されていることを要旨とするものである。
本発明の請求項２は、本体管は、その外側に前記本体管より硬質な合成樹脂の補強部材を有していることを要旨とするものである。
本発明の請求項３は、リング部材は、本体管と共に補強部材の一部を覆っていることを要旨とするものである。
本発明の請求項４は、補強部材は織布状の強化繊維を有する繊維強化樹脂層からなり、本体管よりも薄肉に形成されていることを要旨とするものである。
本発明の請求項５は、本体管は、傾斜面を有する一端側が他端側よりも軟らかい合成樹脂で形成されていることを要旨とするものである。
【発明の効果】
【０００６】
本発明の請求項１によると、リール装着部の本体管の外側の傾斜面に対応する位置を金属製のリング部材で覆っているためリール脚を確実に装着することができ、本体管のリングで覆っていない部分を握持しながら移動フードを操作することで本体管を通じてリール脚の締め付け具合を感知できる。
本発明の請求項２によると、本体管の破損や変形を防止できる。
本発明の請求項３によると、本体管に対し補強部材を確実に保持できる。
本発明の請求項４によると、補強部材によって本体管を確実に保護できる。
本発明の請求項５によると、本体管は、傾斜面を有する一端側にて確実にリール脚に接し、他端側にて変形を防止できる。
【産業上の利用可能性】
【０００７】
本発明は、リール装着部を有する釣竿に利用できる。
【図面の簡単な説明】
【０００８】
【図１】図１は、第１実施例で釣竿の全体図である。
【図２】図２は、同リール装着部の縦方向拡大断面図である。
【図３】図３は、同リール装着部の可動フード部分の横方向拡大断面図である。
【図４】図４は、第２実施例でリール装着部の縦方向拡大断面図である。
【発明を実施するための最良の形態】
【０００９】
本願発明を図示の実施例によって説明すると、図１から図３は本願の第１実施例で、図１は釣竿の全体図、図２はリール装着部の縦方向拡大断面図、図３はリール装着部の可動フードのＡ―Ａ部分の横方向拡大断面図である。
【００１０】
釣竿１は、ガイド２ａが取り付けられた竿杆２にリール装着部３が取り付けられ、リール装着部３の後端側にハンドル４が取り付けられて形成されている。
竿杆２には釣り糸が挿通されるガイド２ａが竿杆２の長手方向に沿って複数取り付けられリールＲから延びる釣り糸Ｌが挿通され、また、ハンドル４の後端には尻栓４ａが取り付けられている。
【００１１】
竿杆２は、ガラス繊維や炭素繊維等を使用した繊維強化樹脂で先端側になるに従って細くなるテーパーを有し、ソリッド状または管状（中空状）に形成され、１本または複数の竿杆を継いで形成される。
竿杆２の後端側に設けたリール装着部３は、釣りに応じた様々な釣り用リールが装着できるようになっている。
【００１２】
リール装着部３は、竿杆２に取り付けられ釣竿１の長手方向に沿って延びるように形成したリール取り付け本体部（握持部）５を有し、このリール取り付け本体部５は、管状に形成され、その中央を長手方向に貫通する挿通孔に竿杆２の後端側を挿通した状態で接着等により取り付けられている。
【００１３】
リール取り付け本体部５は金属、合成樹脂、木材等で形成され、その一側（上部側）にリール脚の載置部５ａが形成されている。
載置部５ａはリール取り付け本体部５の上部側に長手方向に沿って形成されたリール脚の裏面を当てて安定的に保持するための載置面で、リール取り付け本体部５の周方向に形成された他の湾曲面に比べて平面状に形成されている。
リール取り付け本体部５は、載置部５ａにリール脚Ｒ１を載置してリールＲを取り付け、釣り人がリールＲと共に握持して釣竿１を保持するなどリールシートおよび握持部としての役割を兼ねている。
【００１４】
リール取り付け本体部（握持部）５は、その載置部５ａの反対側で長手方向の後端側に下方（先端）に向けて徐々に先細りになるように突出するトリガー５ｂが一体に形成されている。
トリガー５ｂは釣竿１を用いてキャスティングを行う時にリール取り付け本体部（握持部）５を握持しながら指を掛けたり、リール取り付け本体部（握持部）５を握持しながら釣り操作を行う時に指の間に挟んで握持を安定させるようになっている。
従って、リール取り付け本体部（握持部）５は、円筒状に形成してもよいが、その周面は握持しやすいように様々な形状の面や突部が形成されている。
また、リール取り付け本体部５の上部側の載置部５ａの後端側に固定フード６がリール取り付け本体部５と一体に形成されており、固定フード６は前方に向けて開口しリール脚Ｒ１の後端側が載置部５ａに載置した状態で差し込み及び保持可能になっている。
【００１５】
ハンドル４は合成樹脂の連続気泡発泡体を円筒状にして形成され、その中央に形成した挿通孔に竿杆２の後端側が挿通されて接着等でリール取り付け本体部５の後端側に取り付けられ、キャスティングの際に一方の手でリール取り付け本体部（握持部）５を握持し、他方の手でハンドル４を握持して釣竿１を両手で支持するようになっている。
【００１６】
リール取り付け本体部５の前端側には、移動フード７が釣竿１の長手方向に移動可能に取り付けられている。
すなわち、リール取り付け本体部５の前端側には、その周面に螺子部５ｃが形成され、この螺子部５ｃに移動フード７が螺合され、移動フード７を周方向に回動することで釣竿１またはリール取り付け本体部５の長手方向（軸線Ｃの方向）に移動してリール脚の載置部５ａに近づいたり離れたりすることでリールＲのリール脚Ｒ１の前端側を保持したり、保持を解除したりできるようになっている。
なお、リール取り付け本体部５の前方側に飾りリング１１が取り付けられている。
【００１７】
移動フード７は、全体が筒状に形成され、可撓性を有する合成樹脂で形成した本体管８とこの本体管８の後端側の外周を金属製のリング部材９にて、前端側の外周を金属製のリング部材１０にてそれぞれ覆っている。
本体管８はナイロン、ＡＢＳ等の合成樹脂形成され、内周面に螺子部８ｄが形成され、リール取り付け本体部５の前端側に形成した螺子部５ｃと移動可能に螺着している。
本体管８は、後端側（リール脚の載置部５ａ側）の内側にリールＲのリール脚部Ｒ１の前端側に当接してこれを保持する傾斜面８ａが形成されている。
可撓性を有する合成樹脂で形成した本体管８に形成した傾斜面８ａはリール脚部Ｒ１にしたがって変形しリール脚部Ｒ１の上面側に広く接することで確実に保持できるようになっている。
【００１８】
本体管８はその外周面に本体管８を形成する合成樹脂よりも硬質の合成樹脂からなる補強部材８ｂが設けられ、補強部材８ｂは、本体管８よりも薄肉に形成されている。
補強部材８ｂは、カーボン繊維を強化繊維とする繊維強化樹脂で、カーボン繊維の織布を用いて形成された管状体で、本体管８の外周面の周方向に形成された凹部８ｃ内に凹部８ｃ内の周辺と面一になるように係合して収納されている。
【００１９】
本体管８の後端側（リール脚の載置部５ａ側）の外周に設けた金属製のリング部材９は、アルミ、ステンレス、チタン等で形成された板状のリングで、本体管８の外側の傾斜面８ａに対応する位置に嵌合して設けられる。
したがって、可撓性を有する合成樹脂で形成した本体管８の傾斜面８ａにてリールＲのリール脚Ｒ１を保持した時に傾斜面８ａの極端な変形を防止するようになっている。
また、リング部材９は、その前方側で補強部材８ｂの一部（後端側）を覆って、補強部材８ｂの脱落を防止している。
【００２０】
また、移動フード７の本体管８の前端側（釣竿１の前方側）の外周にも金属製のリング部材９と同様の材料からなる金属製のリング部材１０が設けられ補強部材８ｂの一部（前端側）を覆って補強部材８ｂの脱落を防止している。
本体管８の外側を覆う補強部材８ｂはその前後でそれぞれリング部材９とリング部材１０で覆われて保持され、リング部材９とリング部材１０の間には移動フード７の外周側に補強部材８ｂが露出するようになっている。
【００２１】
リール装着部３にリールＲを取り付ける時は、リール取り付け本体部５の上部側に形成したリール脚の載置部５ａにリールＲのリール脚Ｒ１の後端側が固定フード６に差し込まれるようにして載置する。
次に、移動フード７を回動して、釣竿１の長手方向軸線Ｃに沿って後方側に移動させる。
移動フード７に設けた傾斜面８ａがリール脚の載置部５ａに載置したリール脚部Ｒ１の上面側に当接すると、可撓性を有する材料で形成した本体管８の傾斜面８ａがリール脚Ｒ１の上面の形状に合致するように変形しながら密着性を上げ、載置部５ａ側に押圧するようにして傾斜面８ａおよび固定フード６の内側上面と載置部５ａにてリール脚Ｒ１を狭持して保持する。
【００２２】
可撓性を有する材料で形成した本体管８は、その傾斜面８ａがリール脚Ｒ１の上面の形状に合致するように変形するが、本体管８の外側の傾斜面８ａに対応する位置に金属製のリング部材９が設けられその外側形状の変形が防止されるためリール脚部Ｒ１を確実に押圧し保持することができる。
また、本体管８の中央側の変形は、補強部材８ｂにも影響して変形させるが、補強部材８ｂが本体管８よりも硬質な材料で形成されているために本体管８の変形を緩和して極端な変形を防止し、補強部材８ｂは本体管８よりも少ない変形量となる。
【００２３】
移動フード７を移動させる作業は移動フード７の外側を摘んで行われるが、本体管８の外側の傾斜面８ａに対応する位置に金属製のリング部材９が設けられているためこのリング部材９を力を入れて確実に摘むことができる。
また、移動フード７を摘んだ手の指腹は、移動フード７の外側に露出する補強部材８ｂにあてがわれる。
したがって、本体管８および補強部材８ｂを通じて移動フード７によるリール脚Ｒ１の締め付け具合を容易に感知することができる。
したがって、リール装着部３に装着したリール脚部Ｒ１の緩みや締めすぎを防止できる。
【００２４】
なお、リール取り付け本体部５の螺子部８ｂは、リール取り付け本体部５と一体で形成したが別体に設けた部材に形成してもよい。
また、リール取り付け本体部５に隣接せずに離して竿杆２に取り付けても良いし、螺子部８ｂを設けずに竿杆２に直接螺子切りをして形成しても良く、このような構成においてもリール取り付け本体部５の一部と見なす。
【００２５】
図４は、第２実施例で、リール装着部の縦方向拡大断面図である。
第２実施例では、本体管８を前方側と後方側で異なる合成樹脂で形成している。
すなわち、本体管８の後方部８ｅを傾斜面８ａを含む等にしてナイロンで形成し、中央から前方部８ｆをＡＢＳで形成することで、前方部８ｆを後方部８ｅより硬質の材料で形成している。
【００２６】
このように形成すると、移動フード７を回動して釣竿１の前方側に移動させた時に、本体管８の前方部８fがリール取り付け本体部５との螺合が解除され、リール取り付け本体部５によって内側から支持されなくなるため、本体管８の前方部８ｆを硬い材料で形成することで移動フード７を緩めた時でも本体部５が変形することを防止している。
【００２７】
このような構成においても実施例１と同様な効果が得られる。
なお、その他の構成は第１実施例と同じである。
【符号の説明】
【００２８】
１    釣竿
２    竿杆
３    リール装着部
５    リール取り付け本体部（握持部）
６    固定フード
７    移動フード
８    本体管
８ａ  傾斜面
９、１０    リング部材
Ｒ    リール
Ｒ１  リール脚部
【図１】
2012029609.tif 000003
【図２】
2012029609.tif 000004
【図３】
2012029609.tif 000005
【図４】
2012029609.tif 000006